【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
以下を含む、インク組成物：
複数のカーボンナノチューブ；
溶媒；および
該複数のカーボンナノチューブを該溶媒中で安定化させる、トリアゾール系の除去可能な添加剤。
【請求項２】
前記複数のカーボンナノチューブが、単層カーボンナノチューブ、金属単層カーボンナノチューブ、半導体単層カーボンナノチューブ、およびそれらの混合物のうちの１つまたは複数を含む、請求項１に記載のインク組成物。
【請求項３】
前記複数のカーボンナノチューブが、金属単層カーボンナノチューブおよび半導体単層カーボンナノチューブのうちの１つを多く含む、請求項１に記載のインク組成物。
【請求項４】
前記溶媒が、水、Ｎ−メチルピロリジノン（ＮＭＰ）、プロピレングリコールモノメチルエーテルアセテ−ト（ＰＧＭＥＡ）、メチルエチルケトン（ＭＥＫ）、およびメチルイソプロピルケトンのうちの１つである、請求項１に記載のインク組成物。
【請求項５】
前記トリアゾール系の除去可能な添加剤が、分散剤および安定剤として作用するように選択されている、請求項１に記載のインク組成物。
【請求項６】
前記トリアゾール系の除去可能な添加剤が、以下の化学式：
2016509087.tif 000001
を有する１，２，４−トリアゾール化合物である、請求項１に記載のインク組成物。
【請求項７】
Ｒ１、Ｒ２、およびＲ３がそれぞれ水素である、請求項６に記載のインク組成物。
【請求項８】
Ｒ１、Ｒ２、およびＲ３のうちの少なくとも１つが水素である、請求項６に記載のインク組成物。
【請求項９】
Ｒ１、Ｒ２、およびＲ３のうちの少なくとも１つがＣ１〜Ｃ２０アルキル基である、請求項６に記載のインク組成物。
【請求項１０】
前記Ｃ１〜Ｃ２０アルキル基が、下記のうちの１つから選択される少なくとも１つの置換基で置換されていてもよい、請求項９に記載のインク組成物：
ＯＨ、ＯＲ、ＣＯ２Ｒ、ＯＯＣＲ、ＳＯ３Ｈ、Ｘ、ＳＯ２Ｘ、ＣＯＸ、ＮＨ２、ＮＲ２、ＮＲ３＋、置換されていてもよいベンジル、置換されていてもよいフェニル、チオフェン基、Ｈ２ＰＯ４、およびそれらの混合物、式中、Ｒは該Ｃ１〜Ｃ２０アルキル基であり、かつ、ＸはＦ、Ｃｌ、Ｂｒ、ＮＯ２、およびＣＮのうちの１つである。
【請求項１１】
前記Ｃ１〜Ｃ２０アルキル基における１つまたは複数のＣＨ２基が、下記のうちの１つから選択される少なくとも１つの置換基で置換されていてもよい、請求項９に記載のインク組成物：
Ｏ、ＣＯ、ＮＨ、ＮＨＲ＋、環式アルキル、炭素を含む置換されていてもよい芳香環、炭素を含みかつ窒素、硫黄、および酸素のうちの少なくとも１つを含むヘテロ原子を含む置換されていてもよい芳香環。
【請求項１２】
前記トリアゾール系の除去可能な添加剤が、置換されていてもよい１，２，４−トリアゾールであり、かつ、該１，２，４−トリアゾールにおける１つまたは複数の官能基が、前記溶媒に基づいて選択される少なくとも１つの置換基で置換されていてもよい、請求項６に記載のインク組成物。
【請求項１３】
フィルムを形成するために基板上に堆積されている、請求項１に記載のインク組成物。
【請求項１４】
以下の段階を含む、インク組成物を調製する方法：
複数のカーボンナノチューブ、トリアゾール系の除去可能な添加剤、および溶媒を混合する段階であって、該複数のカーボンナノチューブが該溶媒中に分散し、かつ、該溶媒中に分散する該複数のカーボンナノチューブが該トリアゾール系の除去可能な添加剤によって安定化される、段階。
【請求項１５】
前記複数のカーボンナノチューブが、単層カーボンナノチューブ、金属単層カーボンナノチューブ、半導体単層カーボンナノチューブ、およびそれらの混合物のうちの１つまたは複数を含む、請求項１４に記載の方法。
【請求項１６】
前記複数のカーボンナノチューブが、金属単層カーボンナノチューブおよび半導体単層カーボンナノチューブのうちの１つを多く含む、請求項１４に記載の方法。
【請求項１７】
前記溶媒が、水、Ｎ−メチルピロリジノン（ＮＭＰ）、プロピレングリコールモノメチルエーテルアセテ−ト（ＰＧＭＥＡ）、メチルエチルケトン（ＭＥＫ）、およびメチルイソプロピルケトンのうちの１つである、請求項１４に記載の方法。
【請求項１８】
前記トリアゾール系の除去可能な添加剤が、以下の化学式：
2016509087.tif 000002
を有する１，２，４−トリアゾール化合物である、請求項１４に記載の方法。
【請求項１９】
Ｒ１、Ｒ２、およびＲ３がそれぞれ水素である、請求項１８に記載の方法。
【請求項２０】
Ｒ１、Ｒ２、およびＲ３のうちの少なくとも１つが水素である、請求項１８に記載の方法。
【請求項２１】
Ｒ１、Ｒ２、およびＲ３のうちの少なくとも１つがＣ１〜Ｃ２０アルキル基である、請求項１８に記載の方法。
【請求項２２】
前記Ｃ１〜Ｃ２０アルキル基が下記のうちの１つから選択される少なくとも１つの置換基で置換されていてもよい、請求項２１に記載の方法：
ＯＨ、ＯＲ、ＣＯ２Ｒ、ＯＯＣＲ、ＳＯ３Ｈ、Ｘ、ＳＯ２Ｘ、ＣＯＸ、ＮＨ２、ＮＲ２、ＮＲ３＋、置換されていてもよいベンジル、置換されていてもよいフェニル、チオフェン基、Ｈ２ＰＯ４、およびそれらの混合物、式中、Ｒは該Ｃ１〜Ｃ２０アルキル基であり、かつ、ＸはＦ、Ｃｌ、Ｂｒ、ＮＯ２、およびＣＮのうちの１つである。
【請求項２３】
前記Ｃ１〜Ｃ２０アルキル基における１つまたは複数のＣＨ２基が、下記のうちの１つから選択される少なくとも１つの置換基で置換されていてもよい、請求項２１に記載の方法：
Ｏ、ＣＯ、ＮＨ、ＮＨＲ＋、環式アルキル、炭素を含む置換されていてもよい芳香環、炭素を含みかつ窒素、硫黄、および酸素のうちの少なくとも１つを含むヘテロ原子を含む置換されていてもよい芳香環。
【請求項２４】
前記トリアゾール系の除去可能な添加剤が、置換されていてもよい１，２，４−トリアゾールであり、かつ、該１，２，４−トリアゾールにおける１つまたは複数の官能基が、前記溶媒に基づいて選択される少なくとも１つの置換基で置換されていてもよい、請求項１４に記載の方法。
【請求項２５】
前記複数のカーボンナノチューブを、湿潤ペーストの形態で、前記トリアゾール系の除去可能な添加剤および前記溶媒を含む溶液に供給する段階をさらに含む、請求項１４に記載の方法。
【請求項２６】
前記トリアゾール系の除去可能な添加剤を、前記複数のカーボンナノチューブおよび前記溶媒を含む溶液に供給することにより、前記複数のカーボンナノチューブを安定化させる段階をさらに含む、請求項１４に記載の方法。
【請求項２７】
前記複数のカーボンナノチューブを前記溶媒中に分散させる前に該複数のカーボンナノチューブに前記トリアゾール系の除去可能な添加剤を適用することにより、該複数のカーボンナノチューブを安定化させる段階；および
該複数のカーボンナノチューブおよび該トリアゾール系の除去可能な添加剤に該溶媒を供給する段階
をさらに含む、請求項１４に記載の方法。
【請求項２８】
前記インク組成物を基板に塗布する段階；および
前記トリアゾール系の除去可能な添加剤の実質的な部分を熱アニーリングにより除去する段階であって、該インク組成物を基板に塗布した後に該トリアゾール系の除去可能な添加剤が除去される、段階
をさらに含む、請求項１４に記載の方法。
【請求項２９】
前記トリアゾール系の除去可能な添加剤および水系溶媒を加える前に、前記複数のカーボンナノチューブを精製する段階をさらに含む、請求項１４に記載の方法。
【請求項３０】
前記複数のカーボンナノチューブを水酸化アンモニウム溶液中で洗浄することによって、該複数のカーボンナノチューブを精製する、請求項２９に記載の方法。
【請求項３１】
遠心分離を用いて不純物を減らすことにより、前記複数のカーボンナノチューブ、前記トリアゾール系の除去可能な添加剤、および水系溶媒を含む混合物を精製する段階をさらに含む、請求項１４に記載の方法。
【請求項３２】
前記遠心分離が無定形炭素不純物を減らす、請求項３１に記載の方法。
【請求項３３】
遠心分離された前記混合物の第一の部分がインク組成物として保存され、かつ、遠心分離された該混合物の第二の部分が廃棄される、請求項３１に記載の方法。
【請求項３４】
所与のサイズよりも大きい直径を有する粒子不純物を除去するために、遠心分離された前記混合物の少なくとも一部をフィルターに通過させる段階をさらに含む、請求項３１に記載の方法。
【請求項３５】
以下の段階を含む、インク組成物を調製する方法：
複数の単層カーボンナノチューブを含むペーストを供給する段階；
無定形炭素不純物を実質的に減らすために、該複数の単層カーボンナノチューブを含むペーストを水酸化アンモニウム溶液中で精製する段階；
精製された該複数の単層カーボンナノチューブを含むペーストに１，２，４−トリアゾール化合物および水系溶媒を加えることによって混合物を形成させる段階であって、該複数の単層カーボンナノチューブが該水系溶媒中に分散し、かつ、該水系溶媒中に分散する該複数の単層カーボンナノチューブが該１，２，４−トリアゾール化合物によって安定化される、段階；ならびに
該混合物を遠心分離によって精製する段階であって、遠心分離された該混合物の第一の部分がインク組成物として保存され、かつ、遠心分離された該混合物の第二の部分が廃棄される、段階。
【手続補正２】
【補正対象書類名】明細書
【補正対象項目名】００６４
【補正方法】変更
【補正の内容】
【００６４】
[本発明1001]
以下を含む、インク組成物：
複数のカーボンナノチューブ；
溶媒；および
該複数のカーボンナノチューブを該溶媒中で安定化させる、トリアゾール系の除去可能な添加剤。
[本発明1002]
前記複数のカーボンナノチューブが、単層カーボンナノチューブ、金属単層カーボンナノチューブ、半導体単層カーボンナノチューブ、およびそれらの混合物のうちの1つまたは複数を含む、本発明1001のインク組成物。
[本発明1003]
前記複数のカーボンナノチューブが、金属単層カーボンナノチューブおよび半導体単層カーボンナノチューブのうちの1つを多く含む、本発明1001のインク組成物。
[本発明1004]
前記溶媒が、水、N-メチルピロリジノン（NMP）、プロピレングリコールモノメチルエーテルアセテ−ト（PGMEA）、メチルエチルケトン（MEK）、およびメチルイソプロピルケトンのうちの1つである、本発明1001のインク組成物。
[本発明1005]
前記トリアゾール系の除去可能な添加剤が、分散剤および安定剤として作用するように選択されている、本発明1001のインク組成物。
[本発明1006]
前記トリアゾール系の除去可能な添加剤が、以下の化学式：
2016509087.tif 000003
を有する1,2,4-トリアゾール化合物である、本発明1001のインク組成物。
[本発明1007]
R1、R2、およびR3がそれぞれ水素である、本発明1006のインク組成物。
[本発明1008]
R1、R2、およびR3のうちの少なくとも1つが水素である、本発明1006のインク組成物。
[本発明1009]
R1、R2、およびR3のうちの少なくとも1つがC1〜C20アルキル基である、本発明1006のインク組成物。
[本発明1010]
前記C1〜C20アルキル基が、下記のうちの1つから選択される少なくとも1つの置換基で置換されていてもよい、本発明1009のインク組成物：
OH、OR、CO2R、OOCR、SO3H、X、SO2X、COX、NH2、NR2、NR3+、置換されていてもよいベンジル、置換されていてもよいフェニル、チオフェン基、H2PO4、およびそれらの混合物、式中、Rは該C1〜C20アルキル基であり、かつ、XはF、Cl、Br、NO2、およびCNのうちの1つである。
[本発明1011]
前記C1〜C20アルキル基における1つまたは複数のCH2基が、下記のうちの1つから選択される少なくとも1つの置換基で置換されていてもよい、本発明1009のインク組成物：
O、CO、NH、NHR+、環式アルキル、炭素を含む置換されていてもよい芳香環、炭素を含みかつ窒素、硫黄、および酸素のうちの少なくとも1つを含むヘテロ原子を含む置換されていてもよい芳香環。
[本発明1012]
前記トリアゾール系の除去可能な添加剤が、置換されていてもよい1,2,4-トリアゾールであり、かつ、該1,2,4-トリアゾールにおける1つまたは複数の官能基が、前記溶媒に基づいて選択される少なくとも1つの置換基で置換されていてもよい、本発明1006のインク組成物。
[本発明1013]
前記インク組成物が、基板上に堆積したフィルムの形態であり、かつ、前記トリアゾール系の除去可能な添加剤の実質的部分が熱アニーリングにより該フィルムから除去される、本発明1001のインク組成物。
[本発明1014]
以下の段階を含む、インク組成物を調製する方法：
複数のカーボンナノチューブ、トリアゾール系の除去可能な添加剤、および溶媒を反応させる段階であって、該複数のカーボンナノチューブが該溶媒中に分散し、かつ、該溶媒中に分散する該複数のカーボンナノチューブが該トリアゾール系の除去可能な添加剤によって安定化される、段階。
[本発明1015]
前記複数のカーボンナノチューブが、単層カーボンナノチューブ、金属単層カーボンナノチューブ、半導体単層カーボンナノチューブ、およびそれらの混合物のうちの1つまたは複数を含む、本発明1014の方法。
[本発明1016]
前記複数のカーボンナノチューブが、金属単層カーボンナノチューブおよび半導体単層カーボンナノチューブのうちの1つを多く含む、本発明1014の方法。
[本発明1017]
前記溶媒が、水、N-メチルピロリジノン（NMP）、プロピレングリコールモノメチルエーテルアセテ−ト（PGMEA）、メチルエチルケトン（MEK）、およびメチルイソプロピルケトンのうちの1つである、本発明1014の方法。
[本発明1018]
前記トリアゾール系の除去可能な添加剤が、以下の化学式：
2016509087.tif 000004
を有する1,2,4-トリアゾール化合物である、本発明1014の方法。
[本発明1019]
R1、R2、およびR3がそれぞれ水素である、本発明1018の方法。
[本発明1020]
R1、R2、およびR3のうちの少なくとも1つが水素である、本発明1018の方法。
[本発明1021]
R1、R2、およびR3のうちの少なくとも1つがC1〜C20アルキル基である、本発明1018の方法。
[本発明1022]
前記C1〜C20アルキル基が下記のうちの1つから選択される少なくとも1つの置換基で置換されていてもよい、本発明1021の方法：
OH、OR、CO2R、OOCR、SO3H、X、SO2X、COX、NH2、NR2、NR3+、置換されていてもよいベンジル、置換されていてもよいフェニル、チオフェン基、H2PO4、およびそれらの混合物、式中、Rは該C1〜C20アルキル基であり、かつ、XはF、Cl、Br、NO2、およびCNのうちの1つである。
[本発明1023]
前記C1〜C20アルキル基における1つまたは複数のCH2基が、下記のうちの1つから選択される少なくとも1つの置換基で置換されていてもよい、本発明1021の方法：
O、CO、NH、NHR+、環式アルキル、炭素を含む置換されていてもよい芳香環、炭素を含みかつ窒素、硫黄、および酸素のうちの少なくとも1つを含むヘテロ原子を含む置換されていてもよい芳香環。
[本発明1024]
前記トリアゾール系の除去可能な添加剤が、置換されていてもよい1,2,4-トリアゾールであり、かつ、該1,2,4-トリアゾールにおける1つまたは複数の官能基が、前記溶媒に基づいて選択される少なくとも1つの置換基で置換されていてもよい、本発明1014の方法。
[本発明1025]
前記複数のカーボンナノチューブを、湿潤ペーストの形態で、前記トリアゾール系の除去可能な添加剤および前記溶媒を含む溶液に供給する段階をさらに含む、本発明1014の方法。
[本発明1026]
前記トリアゾール系の除去可能な添加剤を、前記複数のカーボンナノチューブおよび前記溶媒を含む溶液に供給することにより、前記複数のカーボンナノチューブを安定化させる段階をさらに含む、本発明1014の方法。
[本発明1027]
前記複数のカーボンナノチューブを前記溶媒中に分散させる前に該複数のカーボンナノチューブに前記トリアゾール系の除去可能な添加剤を適用することにより、該複数のカーボンナノチューブを安定化させる段階；および
該複数のカーボンナノチューブおよび該トリアゾール系の除去可能な添加剤に該溶媒を供給する段階
をさらに含む、本発明1014の方法。
[本発明1028]
前記インク組成物を基板に塗布する段階；および
前記トリアゾール系の除去可能な添加剤の実質的な部分を熱アニーリングにより除去する段階であって、該インク組成物を基板に塗布した後に該トリアゾール系の除去可能な添加剤が除去される、段階
をさらに含む、本発明1014の方法。
[本発明1029]
前記トリアゾール系の除去可能な添加剤および水系溶媒を加える前に、前記複数のカーボンナノチューブを精製する段階をさらに含む、本発明1014の方法。
[本発明1030]
前記複数のカーボンナノチューブを水酸化アンモニウム溶液中で洗浄することによって、該複数のカーボンナノチューブを精製する、本発明1029の方法。
[本発明1031]
遠心分離を用いて不純物を減らすことにより、前記複数のカーボンナノチューブ、前記トリアゾール系の除去可能な添加剤、および水系溶媒を含む混合物を精製する段階をさらに含む、本発明1014の方法。
[本発明1032]
前記遠心分離が無定形炭素不純物を減らす、本発明1031の方法。
[本発明1033]
遠心分離された前記混合物の第一の部分がインク組成物として保存され、かつ、遠心分離された該混合物の第二の部分が廃棄される、本発明1031の方法。
[本発明1034]
所与のサイズよりも大きい直径を有する粒子不純物を除去するために、遠心分離された前記混合物の少なくとも一部をフィルターに通過させる段階をさらに含む、本発明1031の方法。
[本発明1035]
以下の段階を含む、インク組成物を調製する方法：
複数の単層カーボンナノチューブを含むペーストを供給する段階；
無定形炭素不純物を実質的に減らすために、該複数の単層カーボンナノチューブを含むペーストを水酸化アンモニウム溶液中で精製する段階；
精製された該複数の単層カーボンナノチューブを含むペーストに1,2,4-トリアゾール化合物および水系溶媒を加えることによって混合物を形成させる段階であって、該複数の単層カーボンナノチューブが該水系溶媒中に分散し、かつ、該水系溶媒中に分散する該複数の単層カーボンナノチューブが該1,2,4-トリアゾール化合物によって安定化される、段階；ならびに
該混合物を遠心分離によって精製する段階であって、遠心分離された該混合物の第一の部分がインク組成物として保存され、かつ、遠心分離された該混合物の第二の部分が廃棄される、段階。
本明細書において記載する対象物のうちの1つまたは複数の態様の詳細を、添付の図面および以下の説明において示す。本明細書において記載する対象物の他の特徴および利点は、説明および図面、ならびに特許請求の範囲から明らかであろう。